(57)【要約】  通信装置において、格納されたリストから、電話発信又はメッセージ送信を行うための番号又はアドレスが選択される。当該リストには、複数の名前と、各名前に対応する番号及びアドレスの少なくともいずれかの１つ以上とが含まれる。方法は、格納された名前の少なくとも一部を表示する工程と、表示された名前をハイライトする工程とを含む。方法には、ハイライトされた名前と共に、該ハイライトされた名前に対応する番号及びアドレスの少なくともいずれかの１つ以上のうち、デフォルトの番号またはアドレスを表示する工程が更に含まれる。これにより、宛先について登録されている番号の数にかかわらず首尾一貫したインタラクションの形態を有し、可能な限り少ない数のキー操作により電話をかけたりメッセージを送信したりすることが可能な方法を提供することができる。
2007534224.tif 000002
【特許請求の範囲】
【請求項１】
通信装置（１）内に格納されたリストから、電話発信又はメッセージ送信を行うための番号又はアドレスを選択するための方法であって、前記リストは、複数の名前と、各名前に対応する番号及びアドレスの少なくともいずれかの１つ以上とを含み、前記方法は、
前記格納された名前の少なくとも一部を表示する工程と、
前記表示された名前をハイライトする工程と、
前記ハイライトされた名前と共に、該ハイライトされた名前に対応する番号及びアドレスの少なくともいずれかの１つ以上のうち、デフォルトの番号またはアドレスを表示する工程と
を備えることを特徴とする方法。
【請求項２】
前記デフォルトの番号又はアドレスと共に、前記ハイライトされた名前に対応する複数の番号またはアドレスを前記リストが含むか否かを示す工程を更に備えることを特徴とする請求項１に記載の方法。
【請求項３】
前記表示されたデフォルトの番号またはアドレスが、前記ハイライトされた名前に対応する前記リスト内の唯一の番号である場合に、該番号またはアドレスを選択する工程を更に備えることを特徴とする請求項１または２に記載の方法。
【請求項４】
前記ハイライトされた名前に対応する番号又はアドレスが前記リストに複数含まれることが示され、かつ、前記表示された前記デフォルトの番号又はアドレスが、電話発信又はメッセージ送信のために利用されるものでない場合に、４方向ナビゲーション・デバイス（４）を利用して、電話発信又はメッセージ送信のために利用される番号またはアドレスが表示されるまで、選択された名前に対応する前記番号又はアドレスをスクロールする工程と、
電話発信又はメッセージ送信のために利用される前記番号またはアドレスが表示された場合に、表示された前記番号またはアドレスを選択する工程と
を更に備えることを特徴とする請求項２に記載の方法。
【請求項５】
前記ハイライトされた名前に対応する前記デフォルトの番号又はアドレスは、前記通信装置のモードに依存することを特徴とする請求項１乃至４のいずれかに記載の方法。
【請求項６】
通信装置（１）であって、該通信装置内に格納されたリストから、電話発信又はメッセージ送信を行うための番号又はアドレスを選択するのに適合され、前記リストは、複数の名前と、各名前に対応する番号及びアドレスの少なくともいずれかの１つ以上とを含み、前記通信装置は、
前記格納された名前の少なくとも一部を表示し、
前記表示された名前をハイライトし、
前記ハイライトされた名前と共に、該ハイライトされた名前に対応する番号及びアドレスの少なくともいずれかの１つ以上のうち、デフォルトの番号またはアドレスを表示する
ように構成されていることを特徴とする通信装置。
【請求項７】
前記デフォルトの番号又はアドレスと共に、前記ハイライトされた名前に対応する複数の番号またはアドレスを前記リストが含むか否かを示すように更に構成されていることを特徴とする請求項６に記載の通信装置。
【請求項８】
前記表示されたデフォルトの番号またはアドレスが、前記ハイライトされた名前に対応する前記リスト内の唯一の番号である場合に、該番号またはアドレスを選択するように構成されていることを特徴とする請求項６または７に記載の通信装置。
【請求項９】
前記ハイライトされた名前に対応する番号又はアドレスが前記リストに複数含まれることが示され、かつ、前記表示された前記デフォルトの番号又はアドレスが、電話発信又はメッセージ送信のために利用されるものでない場合に、４方向ナビゲーション・デバイス（４）を利用して、電話発信又はメッセージ送信のために利用される番号またはアドレスが表示されるまで、選択された名前に対応する前記番号又はアドレスをスクロールし、
電話発信又はメッセージ送信のために利用される前記番号またはアドレスが表示された場合に、表示された前記番号またはアドレスを選択する
ように更に構成されていることを特徴とする請求項７に記載の通信装置。
【請求項１０】
前記ハイライトされた名前に対応する前記デフォルトの番号又はアドレスは、前記通信装置のモードに依存することを特徴とする請求項６乃至９のいずれかに記載の通信装置。
【発明の詳細な説明】
【技術分野】
【０００１】
本発明は、通信装置内に格納されたリストから、電話発信又はメッセージ送信を行うための番号又はアドレスを選択するための方法に関連する。当該リストは、複数の名前と、各名前に対応する番号及びアドレスの少なくともいずれかの１つ以上とを含む。また、当該方法は、格納された名前の少なくとも一部を表示する工程と、表示された名前をハイライトする工程とを備える。本発明はまた、装置内に格納されたリストから、電話発信又はメッセージ送信を行うための番号又はアドレスを選択するのに適合された通信装置に関連する。
【背景技術】
【０００２】
今日、数多くの通信機器、例えば、移動体電話機などが存在し、これらは所謂電話帳の形式において内蔵型のリストを有している。このリストには、多数の通信相手の名前、および、対応する彼らの電話番号や電子メールアドレスが格納されている。リストに含まれる宛先に電話をかけたりメッセージを送信したりする場合には、当該リスト或いはその一部がディスプレイ上に表示され、宛先の名前がリストから選択された後、電話の発信やメッセージ送信が行われる。
【０００３】
幾つかの装置では、一個人について、例えば、自宅、勤務先、携帯電話、或いは、電子メールのように、複数の電話番号やアドレスを格納しておくことができる。そのような装置から電話をかけたりメッセージを送信したりする場合、ユーザーは接続相手の名前を選択し、選択した相手の電話番号やアドレスを示す新しいリストを開いて、電話発信やメッセージ送信に使用する電話番号やアドレスを選択することができる。このことは、一個人について１つの番号のみを格納する装置と比べて、電話をかけるために追加的なキー操作が必要とされることを意味する。このような操作は多くのユーザー、特に頻繁に電話帳を利用するユーザーを困惑させるものである。
【０００４】
このような装置であっても、宛先の中には１つの番号しか登録されていない者もいる。しかしながら、そのような宛先についても、ユーザーは名前を選択して、対応する番号のリストを開かなければならないであろう。このようにして、とりあえずは宛先の番号を有するリストが開かれるであろう。しかし、そこにはただ１つの番号しか存在しないのであるから、このような場合、リストを開くために必要とされる追加的なキー操作は特に悩みの種である。言い換えれば、この方法は、利用形態が首尾一貫しており、キー操作のシーケンスが全ての宛先に対して同一であり、追加的なキー操作が必ず必要となる。
【０００５】
一つの解決策は、宛先について１つの番号しか登録されていない場合に、番号を直接に選択し、２つ以上の番号を有する宛先については別のリストを利用することである。この場合、番号を一つしか有しない宛先については、追加的なキー操作は不要となる。しかし、この解決策は首尾一貫していない。というのも、選択された宛先についていくつの番号が登録されているかに応じて、電話発信に必要とされるキー操作の数が異なるからである。そして、ユーザーはこれを常に思い出すことができるとは限らないので、間違いを犯す危険性がある。例えば、番号を一つしか登録していない宛先に電話をかける場合に、ユーザーが発信ボタンを操作するのを忘れることがあるかもしれない。
【０００６】
そこで、本発明は、宛先について登録されている番号の数にかかわらず首尾一貫したインタラクションの形態を有し、可能な限り少ない数のキー操作により電話をかけたりメッセージを送信したりすることが可能な方法を提供することを目的とする。
【発明の開示】
【０００７】
本発明によれば、当該目的は、ハイライトされた名前と共に、該ハイライトされた名前に対応する番号及びアドレスの少なくともいずれかの１つ以上のうち、デフォルトの番号またはアドレスを表示する工程を更に備える方法において達成される。
【０００８】
このようにして、接続リストを開いた場合に、１回のキー操作で番号宛に直接に電話をかけることができる。このことは、従来技術の手法と比較して、１回分のキー操作が省かれることを意味する。提案に係る解決手法には、他の利点もある。間違った宛先が選択された場合でも、ユーザーは一工程戻る必要がない。ユーザーは、例えば４方向ナビゲーション・デバイス４を上又は下方向に操作するなどして、別の宛先を選択するだけでよい。更に、多くのユーザーは、各宛先（全ての宛先）について１つの番号しか登録していないので、本解決手法によれば、これらのユーザーは追加的なキー操作を一切する必要がない。別の利点は、宛先毎に複数の番号を登録可能な内部の電話帳、宛先毎に通常は１つの番号の登録しか認められないＳＩＭカード電話帳、或いは、例えば通話リストのような、最近着信或いは発信した装置のリストであって、項目毎に１つの番号が使用されるリストについて、同一のインタラクション・デザインを利用できる点である。
【０００９】
名前毎に複数の番号やアドレスを有する宛先、ＳＩＭ電話帳、サービス番号、情報番号、固定番号、ＳＯＳ番号及びユーザー固有の番号に対して、同一の外観及び同一のインタラクション（直接発信）を提供することができる。どんなリスト（通話リスト）であっても、通話は最初の操作によりセットアップされる。
【００１０】
更に、当該方法は、簡単で、直感的な複数選択を可能とする。複数選択とは、同一メッセージが複数の受信者に送信される場合に関連する。
【００１１】
電話発信のために必要とされるキー操作は極めて少なくて済む。宛先リストを開くと、番号に対する１回のキー操作により直接に電話発信することができる。２回のキー操作は、例えば、スタンバイモードから電話帳へのいわゆるショートカットを行う場合にのみ必要とされ、４回のキー操作はメニューを利用する場合に必要とされる。
【００１２】
当該方法が、前記デフォルトの番号又はアドレスと共に、前記ハイライトされた名前に対応する複数の番号またはアドレスを前記リストが含むか否かを示す工程を更に備える場合、ユーザーは、宛先について、デフォルトの番号やアドレス以外の他の番号が登録されているか否かを簡単に把握することができる。
【００１３】
好ましくは、当該方法は、表示されたデフォルトの番号またはアドレスが、ハイライトされた名前に対応するリスト内の唯一の番号である場合に、該番号またはアドレスを選択する工程を更に備え、この場合には当該番号またはアドレスを直接に選択することができる。
【００１４】
更に、当該方法は、ハイライトされた名前に対応する番号又はアドレスがリストに複数含まれることが示され、かつ、表示されたデフォルトの番号又はアドレスが、電話発信又はメッセージ送信のために利用されるものでない場合に、４方向ナビゲーション・デバイスを利用して、電話発信又はメッセージ送信のために利用される番号またはアドレスが表示されるまで、選択された名前に対応する番号又はアドレスをスクロールする工程と、電話発信又はメッセージ送信のために利用される番号またはアドレスが表示された場合に、表示された番号またはアドレスを選択する工程とを備える。これにより、ユーザーは、もしデフォルトの番号が意図する番号でなかった場合でも、当該宛先の番号やアドレスを登録する個別のリストを参照するための追加のキー操作を行うことなく、格納されている他の番号やアドレスに簡単に移動することができる。
【００１５】
好適な実施形態では、ハイライトされた名前に対応するデフォルトの番号又はアドレスは、通信装置のモードに依存する。このように、デフォルトの番号、即ち、宛先がハイライトされた場合に最初に表示される番号は、装置のモードに応じて選択することができる。これは、メッセージングの場合に特に効果的である。電話帳を開いて電子メールを送信する場合、宛先が、デフォルトとしての電子メールアドレスとともに表示されることとなる。ＳＭＳやＭＭＳを送信する場合、移動体端末の番号がデフォルトとして表示される。この番号やアドレスは、１回のキー操作で選択することができる。
【００１６】
また、ユーザーが番号を電話帳に登録する際、或いは、その後において、登録された番号やアドレスのうちの１つをデフォルト番号として選択可能とするために、デフォルト番号をユーザーが選択可能としてもよい。
【００１７】
上述のように、本発明は通信装置に関連する。該通信装置は、装置内に格納されたリストから、電話発信又はメッセージ送信を行うための番号又はアドレスを選択するのに適合され、リストは、複数の名前と、各名前に対応する番号及びアドレスの少なくともいずれかの１つ以上とを含み、通信装置は、格納された名前の少なくとも一部を表示し、表示された名前をハイライトするように構成されている。通信装置が、ハイライトされた名前と共に、該ハイライトされた名前に対応する番号及びアドレスの少なくともいずれかの１つ以上のうち、デフォルトの番号またはアドレスを表示するように更に構成されている場合、当該装置において、宛先について登録されている番号の数にかかわらず首尾一貫したインタラクションの形態を有し、可能な限り少ない数のキー操作により電話をかけたりメッセージを送信したりすることが可能となる。
【００１８】
当該装置が、デフォルトの番号又はアドレスと共に、ハイライトされた名前に対応する複数の番号またはアドレスをリストが含むか否かを示すように更に構成されている場合、ユーザーは、宛先について、デフォルトの番号やアドレス以外の他の番号が登録されているか否かを簡単に把握することができる。
【００１９】
好ましくは、当該装置は、表示されたデフォルトの番号またはアドレスが、ハイライトされた名前に対応するリスト内の唯一の番号である場合に、該番号またはアドレスを選択するように構成され、この場合には当該番号またはアドレスを直接に選択することができる。
【００２０】
更に、当該装置は、ハイライトされた名前に対応する番号又はアドレスがリストに複数含まれることが示され、かつ、表示されたデフォルトの番号又はアドレスが、電話発信又はメッセージ送信のために利用されるものでない場合に、４方向ナビゲーション・デバイスを利用して、電話発信又はメッセージ送信のために利用される番号またはアドレスが表示されるまで、選択された名前に対応する番号又はアドレスをスクロールし、電話発信又はメッセージ送信のために利用される番号またはアドレスが表示された場合に、表示された番号またはアドレスを選択するように更に構成されてもよい。これにより、ユーザーは、もしデフォルトの番号が意図する番号でなかった場合でも、当該宛先の番号やアドレスを登録する個別のリストを参照するための追加のキー操作を行うことなく、格納されている他の番号やアドレスに簡単に移動することができる。
【００２１】
好適な実施形態では、ハイライトされた名前に対応するデフォルトの番号又はアドレスは、通信装置のモードに依存する。このように、デフォルトの番号、即ち、宛先がハイライトされた場合に最初に表示される番号は、装置のモードに応じて選択することができる。これは、メッセージングの場合に特に効果的である。電話帳を開いて電子メールを送信する場合、デフォルトとしての電子メールアドレスとともに宛先が表示されることとなる。ＳＭＳやＭＭＳを送信する場合、移動体端末の番号がデフォルトとして表示される。この番号やアドレスは、１回のキー操作で選択することができる。
【００２２】
また、ユーザーが番号を電話帳に登録する際、或いは、その後において、登録された番号やアドレスのうちの１つをデフォルト番号として選択可能とするために、デフォルト番号をユーザーが選択可能としてもよい。
【発明を実施するための最良の形態】
【００２３】
図１は、本発明を適用可能な装置の一例を示す。図示される装置は、移動体電話機１であり、例えばＧＳＭ電話機およびＵＭＴＳ電話機の少なくともいずれかである。他のタイプの電話機には、ＣＤＭＡ、ＰＤＣ、ＣＤＭＡ２０００及びＴＤＭＡ方式のものがある。しかしながら、本発明は更に他のタイプの装置についても利用可能な点に留意すべきである。例えば、ＰＤＡやコンピュータについても適用可能である。
【００２４】
電話機１は、ディスプレイ２とキーパッド３とを備えている。キーパッド３のキーは、電話機に情報入力を行うために利用される。この情報には、多くの様々なタイプのものがあり、電話番号、アドレス情報、電話機への指示、他の電話機へ送信されるテキストメッセージ等が含まれる。この場合、キーパッド３は、４方向ナビゲーション・デバイス４及び２つの所謂ソフトキー５、６を含むことに留意すべきである。これらの機能については後述する。４方向ナビゲーション・デバイス４は、中央、及び対応する上下左右の４方向に作動させることができ、５つの独立したキーにより構成しても良いし、或いは、ロッカー・キーやジョイスティックに結合されても良い。ディスプレイ２は、移動体電話機のユーザーに情報を提示するために利用される。提示される情報には様々なタイプのものがあり、例えば、電話番号、アドレス情報、着信通知、他の電話機から受信したテキストメッセージ、他の電話機に後に送信するためにキーパッド３により入力されたテキストメッセージなどが含まれる。
【００２５】
電話機１の典型的な利用では、ユーザーは、リストの形態において電話機内にその名前、電話番号或いは電子メールアドレスが格納された個人に対し、電話をかけたり、メッセージを送信したりする。なお、このようなリストは電話帳とも呼ばれる。従来の電話機において、この電話帳を使って番号を探すための典型的な方法を以下に説明する。
【００２６】
通常、電話機は、使用されていない場合にはスタンバイモードに置かれる。このモードではディスプレイ２の表示が消えていてもよいし、或いは、壁紙或いはスクリーンセーバーが表示されていても良い。ここで、図２は、２つのソフトキー５及び６の機能を説明するための、ディスプレイの下端にツールバーが表示されている状態を示す図である。ツールバーには、２つの語「発信」と「他」とが表示されている。これらは、２つのキー５，６の真上に位置しており、２つのキーの機能を定義している。このようにして、これらのキーは常に、ツールバー内で記述された機能を有することとなる。
【００２７】
ユーザーが電話をかけようとする場合、ユーザーは、例えば４方向ナビゲーション・デバイス４等のキーを押すことができ、図３に示されるようなメニュー画面が通常は表示される。メニューにより、ユーザーは複数の異なる機能の中からいずれかを選択することができる。この機能には、電話帳、メッセージ、ゲーム、機能設定などが含まれ、それぞれ画面上ではアイコンで示されている。これらのアイコンのうちの１つが、ハイライト表示及びフレーム表示の少なくともいずれかにより表示され、対応する機能が画面の上方に示される。この機能は、「選択」の機能が与えられているソフトキー５を操作することで選択可能である。もし、必要とする機能がハイライトされているものとは異なる場合、４方向ナビゲーション・デバイス４を利用してフレームを他のアイコンのいずれかに移動させることができる。図３では、「電話帳」の機能がハイライトされ、選択可能となっている。
【００２８】
「電話帳」の機能がソフトキー５の操作に基づいて選択された場合、図４に示すように、複数の選択候補が画面表示される。ここで再び、複数の候補のうち１つがハイライトされ、キー５により選択可能となっている。もし、ハイライトされた候補が意図するものと異なる場合、４方向ナビゲーション・デバイス４を利用して他の候補をハイライトさせることもできる。図４では、「電話宛先」がハイライトされ、ユーザーが電話をかけようとしている場合には、この候補が選択される。次のステップでは、ユーザーに対し、電話をかけようとする宛先の名前の最初の一文字の入力が画面上で要求される。これにより、ユーザーがリスト全体を常に調べる必要がなくなる。図５には、この様子が示されている。また、リストが番号順になっている場合には、当該番号を入力しても良い。これは、電話帳がＳＩＭカード内に格納されている場合などにあり得る。
【００２９】
文字或いは番号の入力の後、或いは何も入力せずに、ユーザーはＯＫ（即ち、ソフトキー５）を押して、図６に示されるような次の画面に移行する。ここでは電話帳内に格納されている名前、あるいは、その内の少なくとも一部が、入力文字から始まるように、もし文字入力がなければ先頭からリスト表示される。ここでは、１つの名前がハイライトされ、ソフトキー５により選択可能となっている。もし、ハイライトされた名前が意図するものと異なる場合には、４方向ナビゲーション・デバイス４を利用して他の名前をハイライトさせることもできる。
【００３０】
宛先には幾つかの番号が登録されているかも知れないので、図６では、当該番号を名前と一緒に表示することはできない。そこで、ユーザーは「選択」のためにソフトキー５を操作して意図する名前を選択した上で、その名前について格納された番号のリストを開かなければならない。図の例では、ユーザーがアンナ・アンダーソンという人物を選択し、図７では対応する番号が画面表示されている。そして、表示されたこれらの番号の中から１つを選択して、電話をかけることができる。電話の発信は、図８のような画面を通じてユーザーに通知される。上述の工程において、図６及び図７に示されるような余分な工程は特に多くのユーザーを悩ますこととなる。というのも、通常は、多くの宛先について実際に格納されている番号は１つだけであるため、この余分な工程が無用なものと思われるからである。
【００３１】
上述のメニュー経路では、電話帳に登録されている個人のいずれかへ電話をかけるために幾つかの工程が必要とされるが、別ルートとして、ショートカットにより工程数を削減可能な電話機も中には存在する。例えば、４方向ナビゲーション・デバイス４を下方向に操作するか、或いは、番号や文字キーの１つを長押しすることにより、図２のスタンバイモードから図６の名前のリストに直接移行することができる。このようにして、ユーザーは上記の多くの工程の一部を省略することができるが、図６及び図７に示す余分な工程は依然として必要とされているので、この状況でも依然として悩みの種である。
【００３２】
以下では、この悩みの種である余分な工程を、如何にすれば排除できるかを説明する。図６の画面表示は、図９に示されるように修正される。ここでは、ハイライトされた宛先（ここではアンナ・アンダーソン）の１つの番号が、ハイライト領域において名前と共に示されていることが分かる。この場合、表示される番号がユーザーが電話のために使用する番号であれば、図７に示すような番号の別リストを必要とせずに、直接に選択することができる。また、番号の前後に２つの矢印が示されており、これによりこの宛先について別番号が登録されていることを表している。もし、表示されている番号が意図する番号と異なる場合には、４方向ナビゲーション・デバイス４を左右方向に操作し、意図する番号がハイライト領域に現れるまで、格納されている他の番号をスクロールすることができる。このスクロールは、図７のリストにおいてなされたスクロールに対応するものであるが、今回は名前のリストにおいて直接スクロールがなされるので、番号リストに関する余分な工程を省略することができる。
【００３３】
もし番号＋４６２３４５６７８９が、この宛先について格納されている唯一の番号である場合、当該番号は２つの矢印無しに表示され、別番号の登録がないことが示される。この例は、図１０に示す通りである。そして、この番号は直接に選択可能である。このようにして、複数の番号が登録されている宛先についても、提供される画面は同一となる。
【００３４】
更に、特に宛先について複数の番号が登録される場合には、例えば、自宅、勤務先、携帯電話、或いは、電子メールアドレスのような番号の種別を示す小さなアイコンを当該番号と共に表示することで、正しい番号の発見を容易とすることができる。図１１はその一例を示すものであり、家の形の小さなアイコンにより、表示された番号が自宅の番号であることが示される。
【００３５】
図２から図８までの公知の手法と、提案に係る図９から図１１までの手法との折衷案として、２つ以上の番号が登録されている宛先についてのみ図７の別の番号リストを利用し、１つしか番号が登録されていない宛先については、図１０に示すように名前と共に番号を示すようにしても良い。しかしながら、そのような解決方法は、一貫性に欠けるものである。と言うのも、キー操作回数や必要とされる工程の数が、宛先について登録されている番号の数に応じて異なるためであり、このことを、ユーザーが必ずしも前もって知っている（思い出せる）とは限らない。
【００３６】
上記のように、提案に係る解決方法では、ハイライトされた宛先について、格納された番号の１つがハイライト領域におけるデフォルト番号として名前と共に示される。デフォルト番号は単純に、宛先が装置のメモリに最初に登録された時にリストに最初に登録された番号でよいが、ユーザーはいつでも、登録された番号のいずれかをデフォルト番号として選択することができる。
【００３７】
また、デフォルト番号は、装置の実際の利用状況に応じて、装置により自動的に選択されても良い。もしユーザーがＳＭＳ又はＭＭＳメッセージを送信するために電話帳を利用する場合、装置は移動体端末番号をデフォルト番号として選択する。また、電子メールを送信しようとする場合、電子メールアドレスがデフォルトとして選択されるであろう。同様にして、もしユーザーが電話をかけようとする場合、自宅の電話番号が選択されても良い。このようにすれば、ほとんどの状況において、ユーザーが実際に使用する必要のある番号をデフォルトとして装置が自動的に提案することになるので、ユーザーはほとんど番号をスクロールしなくて済む。
【００３８】
提案に係る解決方法の重要な利点は、上述のように、悩みの種であった余分な工程やキー操作を排除し、ユーザーが可能な限り少ないキー操作により電話をかけたり、メッセージを送信したりすることができる点にある。ショートカットを利用すれば、上記のように、提案方法では電話帳に登録された個人に電話をかけるのにわずか２回のキー操作しか必要としない。まず、ユーザーは番号又は文字キーを操作（長押し）するか、または、４方向ナビゲーション・デバイス４を下方向に操作して、スタンバイモード（図２）から図９又は図１１の電話帳へとショートカットする。そして、もし適切な人物がハイライトされていれば、選択（ソフトキー５）を操作して電話をかけることができる。もし、適切な人物がハイライトされていなければ、ユーザーは名前をスクロールさせればよい。勿論このスクロールは通常は必要とされるであろう。また、以下に更に述べるような利点も存在する。
【００３９】
もし間違った人物が選択された場合でも、ユーザーはリスト上の他の人物を選択するために一工程戻る必要がない。ユーザーは、４方向ナビゲーション・デバイス４を上、或いは下方向に操作して、ただ別の人物に直接移動すればよい。更に、多くのユーザーは、各宛先について１つの番号しか登録していないのが一般的である。従来技術の解決手法では、ユーザーは常に別の無駄な工程を経て、１つの番号しか登録されていないリストを開かねばならなかった。一方の本提案に係る解決手法では、ユーザーは常に、番号を直接に入手することができる。
【００４０】
他の利点は、電話機の内部に格納された電話帳のような各宛先について複数の番号を格納可能な階層的な電話帳と、ＳＩＭカードに格納される電話帳のような各個人について、番号一つのみを許可する電話帳と、サービス番号、情報番号、固定番号、ＳＯＳ番号又はユーザー固有の番号等とについて、同一の外観と同一のインタラクション・デザインを適用したことである。また、通話リストも同一の外観と同一のインタラクション・デザインを有する。
【００４１】
本発明の好適な実施形態について説明したが、本発明は説明に係る内容に限定されるものではなく、特許請求の範囲において定義される発明の主題の範囲において、他の方法により実施されても良い。
【図面の簡単な説明】
【００４２】
【図１】本発明を適用可能な移動体電話機の一例を示す図である。
【図２】スタンバイモードにおける画面表示の一例を示す図である。
【図３】メニュー画面表示の一例を示す図である。
【図４】複数の電話帳オプションを提供する画面表示の一例を示す図である。
【図５】ユーザーに名前の先頭文字等の入力を要求する画面表示の一例を示す図である。
【図６】従来技術に対応する、宛先のリストを提供する画面表示の一例を示す図である。
【図７】所定の宛先の番号のリストを提供する画面表示の一例を示す図である。
【図８】電話発信が行われたことを示す画面表示の一例を示す図である。
【図９】宛先のリストを、ハイライトされた宛先のデフォルト番号と、該宛先について更に番号が格納されていることを示す印とを含めて提供する画面表示の一例を示す図である。
【図１０】宛先のリストを、強調表示された宛先のデフォルト番号を含めて提供する画面表示の一例であって、該宛先については番号が１つしか格納されていない場合を示す図である。
【図１１】図９に類似するが、アイコンによって番号のタイプを識別可能な画面表示の一例を示す図である。
【図１】
2007534224.tif 000003
【図２】
2007534224.tif 000004
【図３】
2007534224.tif 000005
【図４】
2007534224.tif 000006
【図５】
2007534224.tif 000007
【図６】
2007534224.tif 000008
【図７】
2007534224.tif 000009
【図８】
2007534224.tif 000010
【図９】
2007534224.tif 000011
【図１０】
2007534224.tif 000012
【図１１】
2007534224.tif 000013
【手続補正書】
【提出日】平成17年7月20日(2005.7.20)
【手続補正１】
【補正対象書類名】特許請求の範囲
【補正対象項目名】全文
【補正方法】変更
【補正の内容】
【特許請求の範囲】
【請求項１】
通信装置（１）内に格納されたリストから、電話発信又はメッセージ送信を行うための番号又はアドレスを選択するための方法であって、前記リストは、複数の名前と、各名前に対応する番号またはアドレスとを含み、前記方法は、
前記格納された名前の少なくとも一部を含むリストを表示する工程と、
前記表示された名前をハイライトする工程と、
前記リスト内で、前記ハイライトされた名前と共に、該ハイライトされた名前に対応する番号及びアドレスの少なくともいずれかの１つ以上のうち、デフォルトの番号またはアドレスを表示する工程と
を備えることを特徴とする方法。
【請求項２】
前記デフォルトの番号又はアドレスと共に、前記ハイライトされた名前に対応する複数の番号またはアドレスを前記リストが含むか否かを示す工程を更に備えることを特徴とする請求項１に記載の方法。
【請求項３】
前記表示されたデフォルトの番号またはアドレスが、前記ハイライトされた名前に対応する前記リスト内の唯一の番号であることが示される場合に、該番号またはアドレスを選択する工程を更に備えることを特徴とする請求項１または２に記載の方法。
【請求項４】
前記ハイライトされた名前に対応する番号又はアドレスが前記リストに複数含まれることが示され、かつ、前記表示された前記デフォルトの番号又はアドレスが、電話発信又はメッセージ送信のために利用されるものでない場合に、４方向ナビゲーション・デバイス（４）を利用して、電話発信又はメッセージ送信のために利用される番号またはアドレスが表示されるまで、選択された名前に対応する前記番号又はアドレスをスクロールする工程と、
電話発信又はメッセージ送信のために利用される前記番号またはアドレスが表示された場合に、表示された前記番号またはアドレスを選択する工程と
を更に備えることを特徴とする請求項２に記載の方法。
【請求項５】
前記ハイライトされた名前に対応する前記デフォルトの番号又はアドレスは、前記通信装置のモードに応じて選択されることを特徴とする請求項１乃至４のいずれかに記載の方法。
【請求項６】
通信装置（１）であって、該通信装置内に格納されたリストから、電話発信又はメッセージ送信を行うための番号又はアドレスを選択するのに適合され、前記リストは、複数の名前と、各名前に対応する番号またはアドレスとを含み、前記通信装置は、
前記格納された名前の少なくとも一部を含むリストを表示し、
前記表示された名前をハイライトし、
前記リスト内で、前記ハイライトされた名前と共に、該ハイライトされた名前に対応する番号及びアドレスの少なくともいずれかの１つ以上のうち、デフォルトの番号またはアドレスを表示する
ように構成されていることを特徴とする通信装置。
【請求項７】
前記デフォルトの番号又はアドレスと共に、前記ハイライトされた名前に対応する複数の番号またはアドレスを前記リストが含むか否かを示すように更に構成されていることを特徴とする請求項６に記載の通信装置。
【請求項８】
前記表示されたデフォルトの番号またはアドレスが、前記ハイライトされた名前に対応する前記リスト内の唯一の番号であることが示される場合に、該番号またはアドレスを選択するように構成されていることを特徴とする請求項６または７に記載の通信装置。
【請求項９】
前記ハイライトされた名前に対応する番号又はアドレスが前記リストに複数含まれることが示され、かつ、前記表示された前記デフォルトの番号又はアドレスが、電話発信又はメッセージ送信のために利用されるものでない場合に、４方向ナビゲーション・デバイス（４）を利用して、電話発信又はメッセージ送信のために利用される番号またはアドレスが表示されるまで、選択された名前に対応する前記番号又はアドレスをスクロールし、
電話発信又はメッセージ送信のために利用される前記番号またはアドレスが表示された場合に、表示された前記番号またはアドレスを選択する
ように更に構成されていることを特徴とする請求項７に記載の通信装置。
【請求項１０】
前記ハイライトされた名前に対応する前記デフォルトの番号又はアドレスは、前記通信装置のモードに応じて選択されることを特徴とする請求項６乃至９のいずれかに記載の通信装置。
【手続補正２】
【補正対象書類名】明細書
【補正対象項目名】０００５
【補正方法】変更
【補正の内容】
【０００５】
一つの解決策は、宛先について１つの番号しか登録されていない場合に、番号を直接に選択し、２つ以上の番号を有する宛先については別のリストを利用することである。この場合、番号を一つしか有しない宛先については、追加的なキー操作は不要となる。しかし、この解決策は首尾一貫していない。というのも、選択された宛先についていくつの番号が登録されているかに応じて、必要とされるキー操作の数が異なるからである。そして、ユーザーはこれを常に思い出すことができるとは限らないので、間違いを犯す危険性がある。例えば、番号を一つしか登録していない宛先に電話をかける場合に、ユーザーが発信ボタンを操作するのを忘れることがあるかもしれない。
各名前について複数の番号又はアドレスを格納可能であり、名前が選択された場合に関連する番号を有する新しいリストを表示する装置の例は、米国特許第６，２２２，９２１号に記載されている。名前のリストの第１の画面において、各名前の隣に表示されているアイコンは、新しいリストが表示された場合に、最初の番号として表示される番号の種別（職場、自宅、携帯電話等）を示している。
米国特許第６，２８８，７１８号は、名前及び関連する電話番号又はアドレスを含む構造化データベースのアイテムリストにおいて、ズーム・ウィンドウをスクロールする方法を示している。ズーム・ウィンドウでは、名前と共に番号を表示することができる。しかしながら、この文献は所望の記録データをデータベースから検索し、参照する技術に関連するだけであって、電話発信のために番号を選択する技術には関連しない。
【国際調査報告】
2007534224.tif 000014
2007534224.tif 000015